(57)【要約】【課題】    アジ等の生き餌を入れる容器であって、釣り場への搬送用容器として使用できるようにするとともに、釣り場では、海水に漬けて使用する生かしビクとして使用できるようにすることを目的とする。  【解決手段】  水溜め可能な容器の上開口部に、水通し可能な蓋体を着脱可能な状態にして配置させるとともに、水通し可能な蓋体を取り外した場合にあって、別途用意した水通し不可の別の蓋体を装着させ得るようにし、あるいは、水溜め可能な容器の上開口部に、水通し可能な蓋体を配置させるとともに、その上方部に、水通し不可の蓋体を着脱可能な状態にして配置させ得るように構成した生き餌入れ容器。【選択図】    図３
2005087081.tif 000002
【特許請求の範囲】
【請求項１】
水溜め可能な容器２の上開口部に、水通し可能な蓋体３を着脱可能な状態にして配置させるとともに、水通し可能な蓋体３を取り外した場合にあって、別途用意した水通し不可の別の蓋体４を取り換え装着させ得るように構成したことを特徴とする生き餌容器。
【請求項２】
水溜め可能な容器２の上開口部に、水通し可能な蓋体３を配置させるとともに、その蓋体３の上方側に、別途用意した水通し不可の別の蓋体４を装着させ得るように構成したことを特徴とする生き餌容器。
【請求項３】
容器２の側部上方部分に吊り紐９を繋ぎ止めるための連結部７を形成したことを特徴とする請求１、並びに請求項２記載の生き餌容器。
【発明の詳細な説明】
【技術分野】
【０００１】
この発明は、魚釣りに使用する生き餌入れ容器に関するものである。
【背景技術】
【０００２】
イカ釣り等を行なう場合には、生きたアジ等を餌として使用することが多いのであるが、生きたアジ等を弱らせることなく長時間元気な状態で保管するのは大変難しく、一般的には、釣り餌店等で購入した生きアジ等を、エアーポンプをセットした蓋付きの容器に入れて釣り場まで搬送し、釣り場では、水通しの良い容器に移し変えた後、海中に漬けて生かしておくという方法が採られているのである。
【発明の開示】
【発明が解決しようとする課題】
【０００３】
しかし、そのような方法でアジ等の生き餌を保管しようとすると、釣り餌店等から釣り場まで搬送するためのエアーポンプ付きの密閉容器と、釣り場で海水に漬けておくための水通しの良い容器との二種類の容器が必要となり、荷物が多くなって邪魔になるという欠点があるのである。
【０００４】
この発明は、イカ釣り等の際に使用する生き餌入れ容器の改良に関するものであって、従来ものにみられた上記のような欠点を除去しようとすものである。
【課題を解決するための手段】
【０００５】
この発明は、アジ等の生き餌入れ容器に関するものであって、水溜め可能な容器の上開口部に、水通し可能な蓋体を着脱可能な状態にして配置させるとともに、水通し可能な蓋体を取り外した場合にあって、別途用意した水通し不可の別の蓋体を装着させ得るようにし、あるいは、水溜め可能な容器の上開口部に、水通し可能な蓋体を配置させるとともに、その上方部に、水通し不可の蓋体を着脱可能な状態にして取り付け得るように構成し、また、容器の側部上方部分に紐等の連結部を形成した構成となっているのである。
【発明の効果】
【０００６】
この発明にかかる生き餌入れ容器は、容器の開口部に配置した水通し可能な蓋体を、必要に応じて水通し不可の蓋体と交換し得るようにし、あるいは、水通し可能な蓋体の上方側に、水通し不可の蓋体を装着させ得るように構成することにより、密閉蓋付き容器とすることができ、内部の水を溢すことなく生き餌を元気な状態で釣り場まで搬送できると同時に、釣り場では、水通し不可の蓋体を外し、そのままの状態で海水中に漬けて使用することにより、生かしビクやスカリとしての使用が可能となり、従来のように二つの容器を用意する必要性がなくなるという利点があるのである。
【０００７】
また、従来の容器にあっては、海水中に漬ける場合に、吊るし紐を容器の上方中心部に連結する構成となっているのが普通であるが、そのような場合、容器を海水中から引き上げる際、容器内が海水で満たされた状態となって非常に重く、また、海水の一部を捨てて軽くしようとしても、捨てる方法がなく、容器の引き上げに苦労することになるのであるが、この発明にかかる容器にあっては、吊り下げ紐を容器の側部上方に形成した連結部に繋ぎ止める構成となっている結果、図４に示すとおり、引き上げの際に容器が傾き、内部にアジ等が元気に泳げるだけの量の水を残して自動的に流出し、足場の悪い釣り場でも、軽々と引き上げ得るという利点があるし、また、海面に降ろす場合には、容器全体が斜めに傾いた状態で落ちて行くので、海面で反転しやすく、瞬時に容器内部に海水でが流れ込み、従来のもののように容器を海水中に沈めるのに苦労するといったようなことがなくなるという利点があるのである。
【実施例１】
【０００８】
図面にもとづいて、この発明の実施例を説明すると、生き餌容器本体１は、図１乃至図４に示すとおり、水溜め可能な容器２と、網体等から形成される水通し可能な蓋体３と、防水シート等から形成される水通し不可の蓋体４とをもって構成されており、容器２の上開口部に、水通し可能な蓋体３をオープンファスナー５で着脱自在にして配置させ、水通し可能な蓋体３を外した場合、そこに水通し不可の蓋体４を、オープンファスナー５により取り換え装着し得る構成となっているのである。
【０００９】
すなわち、容器２は、防水性の柔軟性シートを有底筒状に形成し、その上開口部のやや下方縁部に、水通し可能な蓋体３を装着させるためのオープンファスナー５の一方部材５aを縫合させた構成となっており、また、外側壁上部に、吊り紐９の端部を結び付けるための連結具７が形成されており、また、上方壁部に提手８の基部を熱溶着により取り付けた構成となっているのである。
【００１０】
水通し可能な蓋体３は、容器２の開口部に納まり得る大きさの円形状の網体により形成されるとともに、その外周部に、オープンファスナー５の他方部材５ｂを縫合した構成となっており、オープンファスナー５により容器２の開口部に取り付けられた構成となっているのである。従って、オープンファスナー５の操作具５ｃをスライド操作することによって、水通し可能な蓋体３の開閉操作と着脱操作を行ない得る構成となっているのである。
【００１１】
また、水通し不可の蓋体４は、容器２の開口部に納まる大きさの円形状の防水シートからなっており、その外周部には、オープンファスナー５の他方部材６ｂが縫合された構成となっているのである。従って、容器２の開口部に配置された水通し可能な蓋体３を外した後、オープンファスナー５の一方部材５ａに、水通し不可の蓋体４の外周部に縫合されたオープンファスナー５の他方部材６ｂを係合させ、５ｃをスライドさせることによって、容器２の開口部に水通し不可の蓋体４を取り付け得る構成となっているのである。
【実施例２】
【００１２】
上記は、必要に応じて、水通し可能な蓋体３と、水通し不可な蓋体４とを交換し得るように構成した場合の実施例であるが、発明の課題を解決するための手段として、図５、並びに図６に示すような構成とすることも可能である。
【００１３】
図５、並びに図６にもとづいて、実施例を説明すると、生き餌容器本体１は、水溜め可能な容器２と、網体等から形成される水通し可能な蓋体３と、防水シート等から形成される水通し不可の蓋体４とをもって構成されており、容器２の上開口部に、水通し可能な蓋体３と、水通し不可の蓋体４とを、それぞれオープンファスナー５、６で装着し、それにより、水通し可能な蓋体３の上方部に、水通し不可の蓋体４を装着させ得る構成となっているのである。
【００１４】
すなわち、容器２は、防水性の柔軟性シートを有底筒状に形成し、その上開口部のやや下方縁部に、水通し可能な蓋体３を装着させるためのオープンファスナー５の一方部材５aを縫合させるとともに、その上方部に、水通し不可の蓋体４を装着させるためのオープンファスナー６の一方部材６ａが縫合せられており、また、側壁上部に、吊り紐９の端部を結び付けるための連結具７が形成されており、また、上方壁部に提手８の基部を熱溶着により取り付けた構成となっているのである。
【００１５】
水通し可能な蓋体３は、容器２の開口部に納まり得る大きさの円形状の網体により形成されるとともに、その外周部に、オープンファスナー５の他方部材５ｂを縫合した構成となっており、オープンファスナー５により容器２の開口部に取り付けられた構成となっているのである。従って、オープンファスナー５の操作具５ｃをスライド操作することによって、水通し可能な蓋体３の開閉操作を行ない得る構成となっているのである。
【００１６】
また、水通し不可の蓋体４は、容器２の開口部に納まる大きさの円形状の防水シートからなっており、その外周部には、オープンファスナー６の他方部材６ｂが縫合された構成となっているのである。従って、オープンファスナー６の一方部材６ａに形成された装着部に、他方部材６ｂの端部を係合させて操作具６ｃをスライドさせることによって、容器２の開口部に水通し不可の蓋体４を取り付け得る一方、その係合状態を解除することによって、水通し不可の蓋体４を容器２から取り外し得る構成となっているのである。
【図面の簡単な説明】
【００１７】
【図１】容器の構成を示す斜視図である。
【図２】水通し不可の蓋体の構成を示す斜視図である。
【図３】容器に水通し不可の蓋体を装着した状態を示す斜視図である。
【図４】容器の使用状態を示す側面図である。
【図５】容器の構成を示す斜視図である。
【図６】容器に水通し不可の蓋体を装着した状態を示す斜視図である。
【符号の説明】
【００１８】
１  容器本体
２  容器
３  水通し可能な蓋体
４  水通し不可の蓋体
７  連結具
９  吊り紐
【図１】
2005087081.tif 000003
【図２】
2005087081.tif 000004
【図３】
2005087081.tif 000005
【図４】
2005087081.tif 000006
【図５】
2005087081.tif 000007
【図６】
2005087081.tif 000008